(57)【要約】【課題】ファイバチャネル通信において、エラー発生から再送までにかかる時間の短縮化を図り得る、ファイバチャネル通信システム、末端装置、ファイバチャネル通信方法、及びプログラムを提供する。【解決手段】ファイバチャネル通信システム１０は、ファイバチャネル３０によってデータ通信可能に接続された２以上の末端装置２０を備える。末端装置２０は、他の末端装置から送信されたフレームの中に、受信していないフレームが存在しないかどうかを判定する判定部２１と、受信していないフレームが存在していると判定された場合に、他の末端装置に対して、受信していないフレームの再送を通知する再送通知部２２と、他の末端装置から、フレームが再送されてきた場合に、受信しているフレームと、再送されてきたフレームとを結合するフレーム結合部２３と、を備える。【選択図】図１
2019161363.tif 000002
【特許請求の範囲】
【請求項１】
ファイバチャネルによってデータ通信可能に接続された２以上の末端装置を備え、
前記２以上の末端装置それぞれは、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する、フレーム結合部と、
を備えている、ことを特徴とするファイバチャネル通信システム。
【請求項２】
請求項１に記載のファイバチャネル通信システムであって、
前記２以上の末端装置それぞれは、更に、
他の末端装置から、フレームの再送が通知された場合に、既に送信したフレームの中から、再送が通知されたフレームを特定し、特定したフレームを、再送を通知した前記他の末端装置に対して送信する、再送部を、備えている、
ことを特徴とするファイバチャネル通信システム。
【請求項３】
請求項１又は２に記載のファイバチャネル通信システムであって、
前記２以上の末端装置それぞれにおいて、
受信されているフレームを保持し、前記判定部によって、受信していないフレームが存在していると判定された場合に、前記受信していないフレームよりも後に送信されたフレームを破棄する、フレーム保持部を更に備え、
前記再送通知部は、前記判定部によって、受信していないフレームが存在していると判定された場合に、送信元の前記他の末端装置に対して、更に、破棄されたフレーム及びそれ以降のフレームの再送も通知する、
ことを特徴とするファイバチャネル通信システム。
【請求項４】
請求項１又は２に記載のファイバチャネル通信システムであって、
前記２以上の末端装置それぞれにおいて、
受信されているフレームを保持する、フレーム保持部を更に備え、
前記再送通知部は、前記判定部によって、受信していないフレームが存在していると判定された場合に、送信元の前記他の末端装置に対して、前記受信していないフレームのみの再送を通知する、
ことを特徴とするファイバチャネル通信システム。
【請求項５】
ファイバチャネルによってデータ通信可能に接続された末端装置であって、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する、フレーム結合部と、
を備えている、
ことを特徴とする末端装置。
【請求項６】
請求項５に記載の末端装置であって、
他の末端装置から、フレームの再送が通知された場合に、既に送信したフレームの中から、再送が通知されたフレームを特定し、特定したフレームを、再送を通知した前記他の末端装置に対して送信する、再送部を、更に備えている、
ことを特徴とする末端装置。
【請求項７】
請求項５又は６に記載の末端装置であって、
受信されているフレームを保持し、前記判定部によって、受信していないフレームが存在していると判定された場合に、前記受信していないフレームよりも後に送信されたフレームを破棄する、フレーム保持部を更に備え、
前記再送通知部は、前記判定部によって、受信していないフレームが存在していると判定された場合に、送信元の前記他の末端装置に対して、更に、破棄されたフレーム及びそれ以降のフレームの再送も通知する、
ことを特徴とする末端装置。
【請求項８】
請求項５又は６に記載の末端装置であって、
受信されているフレームを保持する、フレーム保持部を更に備え、
前記再送通知部は、前記判定部によって、受信していないフレームが存在していると判定された場合に、送信元の前記他の末端装置に対して、前記受信していないフレームのみの再送を通知する、
ことを特徴とする末端装置。
【請求項９】
ファイバチャネルによってデータ通信可能に接続された２以上の末端装置を用い、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を有する、
ことを特徴とするファイバチャネル通信方法。
【請求項１０】
請求項９に記載のファイバチャネル通信方法であって、
（ｄ）他の末端装置から、フレームの再送が通知された場合に、既に送信したフレームの中から、再送が通知されたフレームを特定し、特定したフレームを、再送を通知した前記他の末端装置に対して送信する、ステップを、更に有する、
ことを特徴とするファイバチャネル通信方法。
【請求項１１】
請求項９又は１０に記載のファイバチャネル通信方法であって、
（ｅ）受信されているフレームを保持し、前記（ａ）のステップによって、受信していないフレームが存在していると判定された場合に、前記受信していないフレームよりも後に送信されたフレームを破棄する、ステップを更に有し、
前記（ｂ）のステップにおいて、前記（ａ）のステップによって、受信していないフレームが存在していると判定された場合に、送信元の前記他の末端装置に対して、更に、破棄されたフレーム及びそれ以降のフレームの再送も通知する、
ことを特徴とするファイバチャネル通信方法。
【請求項１２】
請求項９又は１０に記載のファイバチャネル通信方法であって、
（ｆ）受信されているフレームを保持する、ステップを更に有し、
前記（ｂ）のステップにおいて、前記（ａ）のステップによって、受信していないフレームが存在していると判定された場合に、送信元の前記他の末端装置に対して、前記受信していないフレームのみの再送を通知する、
ことを特徴とするファイバチャネル通信方法。
【請求項１３】
ファイバチャネルによってデータ通信可能に接続された２以上の末端装置に備えられたコンピュータに、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を実行させる、プログラム。
【請求項１４】
請求項１３に記載のプログラムであって、
前記コンピュータに、
（ｄ）他の末端装置から、フレームの再送が通知された場合に、既に送信したフレームの中から、再送が通知されたフレームを特定し、特定したフレームを、再送を通知した前記他の末端装置に対して送信する、ステップを、
更に実行させる、
ことを特徴とするプログラム。
【請求項１５】
請求項１３又は１４に記載のプログラムであって、
前記コンピュータに、
（ｅ）受信されているフレームを保持し、前記（ａ）のステップによって、受信していないフレームが存在していると判定された場合に、前記受信していないフレームよりも後に送信されたフレームを破棄する、ステップを更に実行させ、
前記（ｂ）のステップにおいて、前記（ａ）のステップによって、受信していないフレームが存在していると判定された場合に、送信元の前記他の末端装置に対して、更に、破棄されたフレーム及びそれ以降のフレームの再送も通知する、
ことを特徴とするプログラム。
【請求項１６】
請求項１３又は１４に記載のプログラムであって、
前記コンピュータに、
（ｆ）受信されているフレームを保持する、ステップを更に実行させ、
前記（ｂ）のステップにおいて、前記（ａ）のステップによって、受信していないフレームが存在していると判定された場合に、送信元の前記他の末端装置に対して、前記受信していないフレームのみの再送を通知する、
ことを特徴とするプログラム。
【発明の詳細な説明】
【技術分野】
【０００１】
本発明は、ファイバチャネル通信を行うための、ファイバチャネル通信システム、それに用いられる末端装置、及びファイバチャネル通信方法に関し、更には、これらを実現するためのプログラムに関する。
【背景技術】
【０００２】
ファイバチャネル（以下、「ＦＣ（Fibre Channel）」と表記する。）通信は、データ転送方式の１つであり、主に、高速な回線を必要とするサーバとストレージとの接続に利用されている（例えば、特許文献１参照）。また、サーバ、ストレージといったＦＣ通信によって接続される装置は、総称して、「末端装置」と呼ばれている。
【０００３】
更に、ＦＣ通信には、データ転送の制御の違いにより、複数のサービスクラスが規定されている。このうち、サービスクラス２では、送信側の末端装置が、データの転送毎に、受信側の末端装置にデータの転送確認を要求し、要求に対する返信を待ってから、データを転送することが規定されている。
【０００４】
一方、サービスクラス３では、このような転送確認の要求は規定されておらず、送信側の末端装置は、転送確認を要求することなく、データを転送する。このため、サービスクラス３によれば、サービスクラス２に比べて、通信量及び通信負荷が軽減される。また、一般に、ＦＣ通信においては、フレームの欠落等の、フレームエラーの発生率は、他の方式の通信に比べて非常に低くなっている。これらの理由から、現在のＦＣ通信では、サービスクラス３が主流となっている。
【０００５】
また、ＦＣ通信では、末端装置と末端装置との間に、データ転送を中継するスイッチ装置が設置されることがある。スイッチ装置によれば、複数の末端装置を同時に接続することができるので、例えば、一つのサーバで複数のストレージを利用したり、一つのストレージを複数のサーバで共用したりすることが可能となる。
【０００６】
ここで、図９を用いて、サービスクラス３におけるＦＣ通信について説明する。図９は、従来からのファイバチャネル通信の仕組みを示す図である。
【０００７】
図９に示すように、ＦＣ通信のプロトコルにおいては、ストレージは、フレームを最小単位として、サーバにデータ転送を実行する。例えば、図９の例では、サーバは、ストレージに対して、コマンドを１つのフレームで送信する。これに対応して、ストレージは、サーバに対して、データを４つのフレームで送信し、更に、ステータスを１つのフレームで送信する。図９において、フレームは矢印で示されている。
【０００８】
また、図９に示すように、コマンド、データ、ステータス、それぞれを送信するための１又は複数のフレームは、「シーケンス」と呼ばれ、更に複数のシーケンスが集まって１つのトランザクションが構成される。また、このトランザクションの単位は「エクスチェンジ」と呼ばれる。
【０００９】
また、サービスクラス３のＦＣ通信を行うシステムは、例えば特許文献１に開示されている。特許文献１に開示されたシステムでは、更に、末端装置は、フレームエラーを検知すると送信元にエラーを通知する機能を備えている。
【先行技術文献】
【特許文献】
【００１０】
【特許文献１】特許第６１３６４１８号公報
【発明の概要】
【発明が解決しようとする課題】
【００１１】
ところで、特許文献１に開示されたシステムを含め、従来からのサービスクラス３のＦＣ通信を行うシステムでは、エラーが発生した場合の再送処理は、エクスチェンジ単位で行われている。このため、エラー発生から再送までに時間がかかってしまっている。以下、この問題について図１０を用いて説明する。
【００１２】
図１０は、従来からのサービスクラス３のファイバチャネル通信における再送処理を示す図である。また、図１０は、サーバが、スイッチ装置（ＦＣ−ＳＷ：Fibre Channel SWitch）を介して、１つのデータを５つのフレームに分割して、ストレージに送信する例を示している。そして、図１０の例では、スイッチ装置からストレージにフレームを転送する際に、３番目のフレームが欠落しているとする。
【００１３】
この場合、サービスクラス３であるので、サーバは、ストレージにデータ転送の確認要求をしないので、ＳＣＳＩ（Small Computer System Interface）層又はＦＣ４層といった上位レイヤーの受信タイムアウトを待ってから、エクスチェンジ単位で再送処理を実行する。この結果、上述したように、エラー発生から再送までに時間がかかってしまう。
【００１４】
本発明の目的の一例は、上記問題を解消し、ファイバチャネル通信において、エラー発生から再送までにかかる時間の短縮化を図り得る、ファイバチャネル通信システム、末端装置、ファイバチャネル通信方法、及びプログラムを提供することにある。
【課題を解決するための手段】
【００１５】
上記目的を達成するため、本発明の一側面におけるファイバチャネル通信システムは、
ファイバチャネルによってデータ通信可能に接続された２以上の末端装置を備え、
前記２以上の末端装置それぞれは、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する、フレーム結合部と、
を備えている、
ことを特徴とする。
【００１６】
また、上記目的を達成するため、本発明の一側面における末端装置は、
ファイバチャネルによってデータ通信可能に接続された末端装置であって、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する
、フレーム結合部と、
を備えている、
ことを特徴とする。
【００１７】
また、上記目的を達成するため、本発明の一側面におけるファイバチャネル通信方法は、
ファイバチャネルによってデータ通信可能に接続された２以上の末端装置を用い、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を有する、
ことを特徴とする。
【００１８】
更に、上記目的を達成するため、本発明の一側面におけるプログラムは、
ファイバチャネルによってデータ通信可能に接続された２以上の末端装置に備えられたコンピュータに、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を実行させる、ことを特徴とする。
【発明の効果】
【００１９】
以上のように、本発明によれば、ファイバチャネル通信において、エラー発生から再送までにかかる時間の短縮化を図ることができる。
【図面の簡単な説明】
【００２０】
【図１】図１は、本発明の実施の形態におけるファイバチャネル通信システム及び末端装置の概略構成を示すブロック図である。
【図２】図２は、本発明の実施の形態におけるファイバチャネル通信システム及び末端装置の構成を具体的に示すブロック図である。
【図３】図３は、本発明の実施の形態におけるファイバチャネル通信システムにおいてエラーとなったフレームが再送される場合の動作を示す図である。図３（ａ）は、本実施の形態におけるファイバチャネル通信システムにおいて、フレームがエラーになった場合の動作を示す図である。図３（ｂ）は、本実施の形態におけるファイバチャネル通信システムにおいて、エラーになったフレームが再送される場合の動作を示す図である。
【図４】図４は、本発明の実施の形態における末端装置のフレームの受信処理時の動作を示すフロー図である。
【図５】図５は、本発明の実施の形態における末端装置のフレームの再送処理時の動作を示すフロー図である。
【図６】図６は、本発明の実施の形態におけるファイバチャネル通信システムの変形例においてエラーとなったフレームが再送される場合の動作を示す図である。図６（ａ）は、本実施の形態におけるファイバチャネル通信システムの変形例において、フレームがエラーになった場合の動作を示す図である。図６（ｂ）は、本実施の形態におけるファイバチャネル通信システムの変形例において、エラーになったフレームが再送される場合の動作を示す図である。
【図７】図７は、本発明の実施の形態における変形例での末端装置のフレームの受信処理時の動作を示すフロー図である。
【図８】図８は、本発明の実施の形態における末端装置を実現するコンピュータの一例を示すブロック図である。
【図９】図９は、従来からのファイバチャネル通信の仕組みを示す図である。
【図１０】図１０は、従来からのサービスクラス３のファイバチャネル通信における再送処理を示す図である。
【００２１】
（実施の形態）
以下、本発明の実施の形態における、ファイバチャネル通信システム、末端装置、ファイバチャネル通信方法、及びプログラムについて、図１〜図３を参照しながら説明する。
【００２２】
［システム構成］
最初に、図１を用いて、本実施の形態におけるファイバチャネル通信システム及び末端装置の構成について説明する。図１は、本発明の実施の形態におけるファイバチャネル通信システム及び末端装置の概略構成を示すブロック図である。
【００２３】
本実施の形態におけるファイバチャネル通信システム１０は、サービスクラス３のファイバチャネル通信を実現するシステムである。図１に示すように、本実施の形態におけるファイバチャネル通信システム１０は、ファイバチャネル３０によってデータ通信可能に接続された末端装置２０ａ及び２０ｂを備えている。
【００２４】
図１の例では、２つの末端装置のみが図示されているが、末端装置の数は３つ以上であっても良い。また、末端装置２０ａと末端装置２０ｂとは、同様の構成を備えているため、以降において、末端装置２０ａと末端装置２０ｂとの区別が必要ない場合は、「末端装置２０」の表記が用いられることとする。更に、本実施の形態は、末端装置２０ａが送信元、末端装置２０ｂが送信先となる態様であっても良いし、末端装置２０ｂが送信元、末端装置２０ａが送信先となる態様であっても良い。
【００２５】
図１に示すように、末端装置２０は、判定部２１と、再送通知部２２と、フレーム結合部２３とを備えている。判定部２１は、自身が備えられた末端装置以外の他の末端装置２０から送信されたフレームの中に、受信していないフレームが存在していないかどうかを判定する。再送通知部２２は、判定部２１によって、受信していないフレームが存在していると判定された場合に、送信元の他の末端装置２０に対して、受信していないフレームの再送を通知する。
【００２６】
フレーム結合部２３は、再送通知部２２による通知に応じて、送信元の他の末端装置２０から、フレームが再送されてきた場合に、既に受信しているフレームと、再送されてきたフレームとを結合する。
【００２７】
このように、本実施の形態では、末端装置２０は、受信していないフレームが存在している場合に、送信元の他の末端装置２０から該当のフレームを再送させている。即ち、本実施の形態では、送信元の末端装置２０は、フレームのエラーが発生すると、エクスチェンジ単位ではなく、フレーム単位で再送を実行する。このため、本実施の形態によれば、フレームのエラー発生から再送までにかかる時間の短縮化が可能となる。
【００２８】
続いて、図２〜図３を用いて、本実施の形態におけるファイバチャネル通信システム及び末端装置の構成についてより具体的に説明する。図２は、本発明の実施の形態におけるファイバチャネル通信システム及び末端装置の構成を具体的に示すブロック図である
【００２９】
システム全体：
図２に示すように、本実施の形態では、ファイバチャネル通信システム１０は、末端装置２０ａ及び末端装置２０ｂに加えて、スイッチ装置５０を備えている。スイッチ装置５０は、末端装置２０ａと末端装置２０ｂとのデータ通信を中継する装置である。
【００３０】
また、本実施の形態におけるファイバチャネル通信システム１０では、末端装置２０ａ、末端装置２０ｂ、及びスイッチ装置５０は、ＬＡＮ（Local Area Network）４０によっても、互いにデータ通信可能に接続されている。このため、各末端装置２０は、ＬＡＮ４０を経由して、他方の末端装置２０に対して、エラー通知等を行うことができる。
【００３１】
末端装置：
図２に示すように、末端装置２０は、上述した判定部２１と、再送通知部２２と、フレーム結合部２３とに加えて、再送部２４と、フレーム保持部２５とを備えている。
【００３２】
判定部２１は、本実施の形態では、送信元の末端装置２０から送信されてきたフレームのヘッダに含まれるシーケンスＩＤ及びシーケンス番号と、既に受信しているフレームのヘッダに含まれるシーケンスＩＤ及びシーケンス番号とを対比する。そして、判定部２１は、対比の結果に基づいて、シーケンス単位で送信されてきたフレームの中に、受信していないフレームが存在しているかどうかを判定する。
【００３３】
フレーム保持部２５は、シーケンスを構成するフレームが送信されてくると、各フレームを受信し、受信したフレームを保持する。また、フレーム保持部２５は、判定部２１が、受信していないフレームが存在していると判定すると、シーケンスを構成する複数のフレームの中で、受信していないフレームよりも後に送信されたフレームを破棄する。
【００３４】
再送通知部２２は、本実施の形態では、判定部２１が、受信していないフレームが存在していると判定した場合に、ＬＡＮ４０を介して、送信元の末端装置２０に対して、受信したフレームのヘッダに基づいて、フレームの再送を通知する。具体的には、再送通知部２２は、ＬＡＮ４０を介して、送信元の末端装置２０に対して、受信していないフレーム、フレーム保持部２５によって破棄したフレーム、及びそれ以降のフレームの再送を通知する。
【００３５】
再送部２４は、送信先の末端装置２０から、フレームの再送が通知されると、再送の対象となっているフレームを特定して、再送を通知した送信先の末端装置２０に対して、特定したフレームを再送する。
【００３６】
フレーム結合部２３は、本実施の形態では、送信元の末端装置２０からフレームが再送されてくると、再送されてきたフレームと、フレーム保持部２５が保持しているフレームとを結合する。
【００３７】
ここで、図３を用いて、本実施の形態におけるファイバチャネル通信システム１０の動作について、より具体的に説明する。図３は、本発明の実施の形態におけるファイバチャネル通信システムにおいてエラーとなったフレームが再送される場合の動作を示す図である。また、図３（ａ）は、本実施の形態におけるファイバチャネル通信システムにおいて、フレームがエラーになった場合の動作を示す図である。図３（ｂ）は、本実施の形態に
おけるファイバチャネル通信システムにおいて、エラーになったフレームが再送される場合の動作を示す図である。
【００３８】
また、図３（ａ）及び図３（ｂ）は、末端装置２０ａがサーバであり、末端装置２０ｂがストレージである場合を示している。また、図３（ａ）及び図３（ｂ）では、スイッチ装置５０は、ＦＣ−ＳＷ（Fibre Channel SWitch）５０と表記されている。更に、図３（ａ）及び図３（ｂ）は、サーバ２０ａが、１つのデータを分割して５つのフレームを生成し、その後、ストレージ２０ｂに対して、５つのフレームを順に送信する例を示している。
【００３９】
図３（ａ）に示すように、３番目のフレームに欠落が発生したとする。この場合、ストレージ２０ｂにおいて、判定部２１は、受信した１番目又は２番目のフレームのヘッダと、送信されてきた４番目のフレームのヘッドとに基づいて、３番目のフレームを受信していないと判定する。
【００４０】
この場合、ストレージ２０ｂにおいて、フレーム保持部２５は、受信しているフレームを保持するが、３番目のフレームを受信していないので、受信している４番目のフレームを破棄する。また、フレーム保持部２５は、４番目のフレームの後に、５番目のフレームを受信した場合は、この５番目のフレームも破棄する。つまり、フレーム保持部２５は、欠落した３番目のフレームよりも前に受信した１番目及び２番目のフレームだけを保持する。そして、ストレージ２０ｂにおいて、再送通知部２２は、３番目以降のフレームの再送を通知する。
【００４１】
図３（ｂ）に示すように、サーバ２０ａにおいて、再送部２４は、通知を受けて、３番目〜５番目のフレームを再送する。ストレージ２０ｂにおいては、３番目〜５番目のフレームが再送されてくると、フレーム結合部２３は、再送されてきた３番目〜５番目のフレームと、フレーム保持部２５が保持している１番目及び２番目のフレームとを結合して、元のシーケンスを完成させる。
【００４２】
［システム動作］
次に、本発明の実施の形態におけるファイバチャネル通信システム１０の動作について図４及び図５を用いて説明する。以下の説明においては、適宜図１〜３を参酌する。また、本実施の形態では、ファイバチャネル通信システム１０を動作させることによって、ファイバチャネル通信方法が実施される。よって、本実施の形態におけるファイバチャネル通信方法の説明は、以下のファイバチャネル通信システム１０の動作説明に代える。
【００４３】
送信先の末端装置の動作：
最初に、本発明の実施の形態における末端装置のフレームの受信処理時の動作について、図４を用いて説明する。図４は、本発明の実施の形態における末端装置のフレームの受信処理時の動作を示すフロー図である。
【００４４】
図４に示すように、まず、フレームの送信先となる末端装置２０において、フレーム保持部２５は、ファイバチャネル３０を介して、送信元の末端装置２０からフレームが送信されてくると、このフレームを受信し、受信したフレームを保持する（ステップＡ１）。
【００４５】
次に、判定部２１は、ステップＡ１の前に既に受信しているフレームがある場合は、ステップＡ１にて受信されたフレームと、既に受信しているフレームとを比較し、受信していないフレームが存在していないかどうかを判定する（ステップＡ２）。
【００４６】
ステップＡ２の判定の結果、受信していないフレームが存在していない場合は、判定部
２１は、シーケンスの最後のフレームを受信しているかどうかを判定する（ステップＡ３）。
【００４７】
ステップＡ３の判定の結果、最後のフレームを受信していない場合は、再度、ステップＡ１が実行される。一方、ステップＡ３の判定の結果、最後のフレームを受信している場合は、フレームの送信先となる末端装置２０における処理は終了する。
【００４８】
また、上述のステップＡ２の判定の結果、受信していないフレームが存在している場合は、フレーム保持部２５は、シーケンスを構成するフレームであって、受信していないフレームよりも後に送信されたフレーム（ステップＡ１で受信されたフレーム）を破棄する（ステップＡ４）。更に、フレーム保持部２５は、ステップＡ４を実行すると、シーケンスを構成する別のフレームが後から送信されてきても、保持しないで破棄する。
【００４９】
次に、再送通知部２２は、ＬＡＮ４０を介して、送信元の末端装置２０に、ステップＡ１にて受信していないフレーム、ステップＡ４にて破棄したフレーム、及びそれ以降のフレームの再送を通知する（ステップＡ５）。
【００５０】
ステップＡ５が実行されると、送信元の末端装置２０において、後述の図５に示すステップＢ１〜Ｂ６が実行される。送信元の末端装置２０では、再送部２４は、通知を受信し、再送の対象となっているフレームを特定し、特定したフレームを、再送を通知した送信先の末端装置２０に再送する。
【００５１】
次に、フレーム結合部２３は、送信元の末端装置２０から再送されてきたフレームと、フレーム保持部２５が保持しているフレームとを結合し、シーケンスを完成させる（ステップＡ６）。ステップＡ６の実行後、フレームの送信先となる末端装置２０における処理は終了する。
【００５２】
送信元の末端装置の動作：
続いて、本発明の実施の形態における末端装置のフレームの再送処理時の動作について、図５を用いて説明する。図５は、本発明の実施の形態における末端装置のフレームの再送処理時の動作を示すフロー図である。
【００５３】
図５に示すように、まず、末端装置２０が送信元の場合において、再送部２４は、ステップＡ５によって、送信先の末端装置２０から送信されてきたフレームの再送の通知を受信する（ステップＢ１）。
【００５４】
次に、再送部２４は、シーケンスを構成するフレームの１つを選択し（ステップＢ２）、選択したフレームが、再送が通知されたフレームに該当するかどうかを判定する（ステップＢ３）。
【００５５】
ステップＢ３の判定の結果、再送が通知されたフレームに該当する場合は、該当するフレームを保持する（ステップＢ４）。一方、ステップＢ３の判定の結果、再送が通知されたフレームに該当しない場合は、再送部２４は、再度ステップＢ２を実行する。
【００５６】
次に、ステップＢ４の実行後、再送部２４は、ステップＢ２において、シーケンスを構成する全てのフレームを選択したかどうかを判定する（ステップＢ５）。
【００５７】
ステップＢ５の判定の結果、シーケンスを構成する全てのフレームを選択していない場合は、再送部２４は、再度ステップＢ２を実行する。一方、ステップＢ５の判定の結果、シーケンスを構成する全てのフレームを選択している場合は、再送部２４は、ステップＢ
３で保持したフレームを、送信先の末端装置２０に送信する（ステップＢ６）。ステップＢ５の実行により、送信元の末端装置における処理は終了する。
【００５８】
［実施の形態における効果］
以上のように、本実施の形態では、受信側の末端装置２０は、エラーとなったフレームを特定し、特定したフレームに基づいて、送信側の末端装置２０に再送を要求できる。そして、送信側の末端装置２０は、エクスチェンジ単位ではなく、フレーム単位で再送を行うことができる。この結果、本実施の形態によれば、フレームのエラー発生から再送までにかかる時間の短縮化が可能となる。
【００５９】
［プログラム］
本実施の形態におけるプログラムは、コンピュータに、図４に示すステップＡ１〜Ａ６、及び図５に示すステップＢ１〜ステップＢ６を実行させるプログラムであれば良い。このプログラムをコンピュータにインストールし、実行することによって、本実施の形態における末端装置２０とファイバチャネル通信方法とを実現することができる。この場合、コンピュータのプロセッサは、判定部２１、再送通知部２２、フレーム結合部２３、再送部２４、及びフレーム保持部２５として機能し、処理を行う。
【００６０】
また、本実施の形態におけるプログラムは、複数のコンピュータによって構築されたコンピュータシステムによって実行されても良い。この場合は、例えば、各コンピュータがそれぞれ、判定部２１、再送通知部２２、フレーム結合部２３、再送部２４、及びフレーム保持部２５のいずれかとして機能しても良い。
【００６１】
［変形例］
続いて、図６を用いて、本実施の形態における変形例について説明する。図６は、本発明の実施の形態におけるファイバチャネル通信システムの変形例においてエラーとなったフレームが再送される場合の動作を示す図である。また、図６（ａ）は、本実施の形態におけるファイバチャネル通信システムの変形例において、フレームがエラーになった場合の動作を示す図である。図６（ｂ）は、本実施の形態におけるファイバチャネル通信システムの変形例において、エラーになったフレームが再送される場合の動作を示す図である。
【００６２】
本変形例では、図６（ａ）に示すように、フレーム保持部２５及び再送通知部２２における処理が、上述の図１〜図４に示した例と異なっている。具体的には、本変形例では、フレーム保持部２５は、上記図１〜図４に示した例と異なり、判定部２１の判定結果に拘わらず、受信したフレームを破棄せずに全て保持する。
【００６３】
そして、本変形例では、再送通知部２２は、判定部２１が、受信していないフレームが存在していると判定すると、フレーム送信元の末端装置２０に対して、シーケンスを構成する複数のフレームの中で、受信していないフレームのみの再送を通知する。
【００６４】
その後、図６（ｂ）に示すように、受信していないフレームが再送されてくると、本変形例でも、フレーム結合部２３は、既に受信されているフレームと、再送されてきたフレームとを結合する。
【００６５】
ここで、図７を用いて、本実施の形態における変形例での末端装置の動作について説明する。図７は、本発明の実施の形態における変形例での末端装置のフレームの受信処理時の動作を示すフロー図である。
【００６６】
図７に示すように、まず、フレームの送信先となる末端装置２０において、フレーム保
持部２５は、ファイバチャネル３０を介して、送信元の末端装置２０からフレームが送信されてくると、このフレームを受信し、受信したフレーム全てを保持する（ステップＣ１）。
【００６７】
次に、判定部２１は、ステップＣ１にて受信された全てのフレームについて、前後で受信されたフレームとの比較を行い、受信していないフレームが存在していないかどうかを判定する（ステップＣ２）。
【００６８】
ステップＣ２の判定の結果、受信していないフレームが存在していない場合は、フレームの送信先となる末端装置２０における処理は終了する。
【００６９】
一方、ステップＣ２の判定の結果、受信していないフレームが存在している場合は、再送通知部２２は、ＬＡＮ４０を介して、送信元の末端装置２０に、ステップＣ１にて受信していないフレームの再送を通知する（ステップＣ３）。
【００７０】
ステップＣ３が実行されると、送信元の末端装置２０において、上述の図５に示すステップＢ１〜Ｂ６が実行される。送信元の末端装置２０では、再送部２４は、通知を受信し、再送の対象となっているフレームを特定し、特定したフレームを、再送を通知した送信先の末端装置２０に再送する。
【００７１】
次に、フレーム結合部２３は、送信元の末端装置２０から再送されてきたフレームと、フレーム保持部２５が保持しているフレームとを結合し、シーケンスを完成させる（ステップＣ４）。ステップＣ４の実行後、フレームの送信先となる末端装置２０における処理は終了する。
【００７２】
このように、本変形例では、末端装置は、送信元の末端装置に対して、受信していないフレームのみを再送させている。このため、本変形例においても、上述の図１〜図４に示した例と同様の効果を得ることができる。
【００７３】
本実施の形態の変形例におけるプログラムは、コンピュータに、図５に示すステップＢ１〜ステップＢ６、及び図７に示すステップＣ１〜Ｃ４を実行させるプログラムであれば良い。このプログラムをコンピュータにインストールし、実行することによって、本実施の形態の変形例における末端装置２０とファイバチャネル通信方法とを実現することができる。この場合、コンピュータのプロセッサは、判定部２１、再送通知部２２、フレーム結合部２３、再送部２４、及びフレーム保持部２５として機能し、処理を行う。
【００７４】
また、本実施の形態の変形例におけるプログラムも、複数のコンピュータによって構築されたコンピュータシステムによって実行されても良い。この場合は、例えば、各コンピュータがそれぞれ、判定部２１、再送通知部２２、フレーム結合部２３、再送部２４、及びフレーム保持部２５のいずれかとして機能しても良い。
【００７５】
（物理構成）
ここで、本実施の形態におけるプログラムを実行することによって、末端装置２０を実現するコンピュータの一例について図８を用いて説明する。図８は、本発明の実施の形態における末端装置を実現するコンピュータの一例を示すブロック図である。末端装置２０には、例えば、図８に示すコンピュータが備えられている。
【００７６】
図８に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ/ライタ１１６と、通信インターフェイス１１７と
を備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００７７】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７８】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００７９】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００８０】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００８１】
なお、本実施の形態における末端装置２０は、プログラムがインストールされたコンピュータではなく、各部に対応したハードウェアを用いることによっても実現可能である。更に、末端装置２０は、一部がプログラムで実現され、残りの部分がハードウェアで実現されていてもよい。
【００８２】
上述した実施の形態の一部又は全部は、以下に記載する（付記１）〜（付記１６）によって表現することができるが、以下の記載に限定されるものではない。
【００８３】
（付記１）
ファイバチャネルによってデータ通信可能に接続された２以上の末端装置を備え、
前記２以上の末端装置それぞれは、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する、フレーム結合部と、
を備えている、ことを特徴とするファイバチャネル通信システム。
【００８４】
（付記２）
付記１に記載のファイバチャネル通信システムであって、
前記２以上の末端装置それぞれは、更に、
他の末端装置から、フレームの再送が通知された場合に、既に送信したフレームの中から、再送が通知されたフレームを特定し、特定したフレームを、再送を通知した前記他の末端装置に対して送信する、再送部を、備えている、
ことを特徴とするファイバチャネル通信システム。
【００８５】
（付記３）
付記１又は２に記載のファイバチャネル通信システムであって、
前記２以上の末端装置それぞれにおいて、
受信されているフレームを保持し、前記判定部によって、受信していないフレームが存在していると判定された場合に、前記受信していないフレームよりも後に送信されたフレームを破棄する、フレーム保持部を更に備え、
前記再送通知部は、前記判定部によって、受信していないフレームが存在していると判定された場合に、送信元の前記他の末端装置に対して、更に、破棄されたフレーム及びそれ以降のフレームの再送も通知する、
ことを特徴とするファイバチャネル通信システム。
【００８６】
（付記４）
付記１又は２に記載のファイバチャネル通信システムであって、
前記２以上の末端装置それぞれにおいて、
受信されているフレームを保持する、フレーム保持部を更に備え、
前記再送通知部は、前記判定部によって、受信していないフレームが存在していると判定された場合に、送信元の前記他の末端装置に対して、前記受信していないフレームのみの再送を通知する、
ことを特徴とするファイバチャネル通信システム。
【００８７】
（付記５）
ファイバチャネルによってデータを通信するための装置であって、
他の末端装置から送信されたフレームの中に、受信していないフレームが存在していないかどうかを判定する、判定部と、
前記判定部によって、受信していないフレームが存在していると判定された場合に、送信元の前記他の末端装置に対して、前記受信していないフレームの再送を通知する、再送通知部と、
前記再送通知部による通知に応じて、送信元の前記他の末端装置から、フレームが再送されてきた場合に、既に受信しているフレームと、再送されてきたフレームとを結合する、フレーム結合部と、
を備えている、
ことを特徴とする末端装置。
【００８８】
（付記６）
付記５に記載の末端装置であって、
他の末端装置から、フレームの再送が通知された場合に、既に送信したフレームの中から、再送が通知されたフレームを特定し、特定したフレームを、再送を通知した前記他の末端装置に対して送信する、再送部を、更に備えている、
ことを特徴とする末端装置。
【００８９】
（付記７）
付記５又は６に記載の末端装置であって、
受信されているフレームを保持し、前記判定部によって、受信していないフレームが存在していると判定された場合に、前記受信していないフレームよりも後に送信されたフレームを破棄する、フレーム保持部を更に備え、
前記再送通知部は、前記判定部によって、受信していないフレームが存在していると判定された場合に、送信元の前記他の末端装置に対して、更に、破棄されたフレーム及びそれ以降のフレームの再送も通知する、
ことを特徴とする末端装置。
【００９０】
（付記８）
付記５又は６に記載の末端装置であって、
受信されているフレームを保持する、フレーム保持部を更に備え、
前記再送通知部は、前記判定部によって、受信していないフレームが存在していると判定された場合に、送信元の前記他の末端装置に対して、前記受信していないフレームのみの再送を通知する、
ことを特徴とする末端装置。
【００９１】
（付記９）
ファイバチャネルによってデータ通信可能に接続された２以上の末端装置を用い、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を有する、
ことを特徴とするファイバチャネル通信方法。
【００９２】
（付記１０）
付記９に記載のファイバチャネル通信方法であって、
（ｄ）他の末端装置から、フレームの再送が通知された場合に、既に送信したフレームの中から、再送が通知されたフレームを特定し、特定したフレームを、再送を通知した前記他の末端装置に対して送信する、ステップを、更に有する、
ことを特徴とするファイバチャネル通信方法。
【００９３】
（付記１１）
付記９又は１０に記載のファイバチャネル通信方法であって、
（ｅ）受信されているフレームを保持し、前記（ａ）のステップによって、受信していないフレームが存在していると判定された場合に、前記受信していないフレームよりも後に送信されたフレームを破棄する、ステップを更に有し、
前記（ｂ）のステップにおいて、前記（ａ）のステップによって、受信していないフレームが存在していると判定された場合に、送信元の前記他の末端装置に対して、更に、破棄されたフレーム及びそれ以降のフレームの再送も通知する、
ことを特徴とするファイバチャネル通信方法。
【００９４】
（付記１２）
付記９又は１０に記載のファイバチャネル通信方法であって、
（ｆ）受信されているフレームを保持する、ステップを更に有し、
前記（ｂ）のステップにおいて、前記（ａ）のステップによって、受信していないフレ
ームが存在していると判定された場合に、送信元の前記他の末端装置に対して、前記受信していないフレームのみの再送を通知する、
ことを特徴とするファイバチャネル通信方法。
【００９５】
（付記１３）
ファイバチャネルによってデータ通信可能に接続された２以上の末端装置に備えられたコンピュータに、
（ａ）他の末端装置から送信されたフレームの中に、受信していないフレームが存在していないかどうかを判定する、ステップと、
（ｂ）前記（ａ）のステップによって、受信していないフレームが存在していると判定された場合に、送信元の前記他の末端装置に対して、前記受信していないフレームの再送を通知する、ステップと、
（ｃ）前記（ｂ）のステップによる通知に応じて、送信元の前記他の末端装置から、フレームが再送されてきた場合に、既に受信しているフレームと、再送されてきたフレームとを結合する、ステップと、
を実行させる、プログラム。
【００９６】
（付記１４）
付記１３に記載のプログラムであって、
前記コンピュータに、
（ｄ）他の末端装置から、フレームの再送が通知された場合に、既に送信したフレームの中から、再送が通知されたフレームを特定し、特定したフレームを、再送を通知した前記他の末端装置に対して送信する、ステップを、
更に実行させる、
ことを特徴とするプログラム。
【００９７】
（付記１５）
付記１３又は１４に記載のプログラムであって、
前記コンピュータに、
（ｅ）受信されているフレームを保持し、前記（ａ）のステップによって、受信していないフレームが存在していると判定された場合に、前記受信していないフレームよりも後に送信されたフレームを破棄する、ステップを更に実行させ、
前記（ｂ）のステップにおいて、前記（ａ）のステップによって、受信していないフレームが存在していると判定された場合に、送信元の前記他の末端装置に対して、更に、破棄されたフレーム及びそれ以降のフレームの再送も通知する、
ことを特徴とするプログラム。
【００９８】
（付記１６）
付記１３又は１４に記載のプログラムであって、
前記コンピュータに、
（ｆ）受信されているフレームを保持する、ステップを更に実行させ、
前記（ｂ）のステップにおいて、前記（ａ）のステップによって、受信していないフレームが存在していると判定された場合に、送信元の前記他の末端装置に対して、前記受信していないフレームのみの再送を通知する、
ことを特徴とするプログラム。
【産業上の利用可能性】
【００９９】
以上のように、本発明によれば、ファイバチャネル通信において、エラー発生から再送までにかかる時間の短縮化を図ることができる。本発明は、ファイバチャネル通信において有用である。
【符号の説明】
【０１００】
１０  ファイバチャネル通信システム
２０  末端装置
２１  判定部
２２  再送通知部
２３  フレーム結合部
３０  ファイバチャネル
４０  ＬＡＮ
５０  スイッチ装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019161363.tif 000003
【図２】
2019161363.tif 000004
【図３】
2019161363.tif 000005
【図４】
2019161363.tif 000006
【図５】
2019161363.tif 000007
【図６】
2019161363.tif 000008
【図７】
2019161363.tif 000009
【図８】
2019161363.tif 000010
【図９】
2019161363.tif 000011
【図１０】
2019161363.tif 000012